(57)【要約】      （修正有）【課題】室内等に設置させたとき、目立ちにくく、部屋等の美観を損ねない火災警報器を提供する。【解決手段】本体４０とカバー１０とからなり内部側に火災を検出する煙検出部を有する火災警報器において、カバー１０は、カバー円周１１方向からカバー中心１２に向かって設置面から離れるような緩やかな曲線の側面視で半月形状である。【選択図】図４
2016189156.tif 000002
【特許請求の範囲】
【請求項１】
本体とカバーとからなり内部側に火災を検出する煙検出部を有する火災警報器において、
前記カバーは、円周方向から中心に向かって設置面から離れるような緩やかな曲線の側面視で半月形状であることを特徴とする火災警報器。
【請求項２】
前記煙検出部が火災を検出すると発光する表示灯と、
前記表示灯の光を前記カバーの円周に沿って拡散させる表示灯導光体を備えたことを特徴とする請求項１に記載の火災警報器。
【発明の詳細な説明】
【技術分野】
【０００１】
本発明は、火災警報器、特に煙を検出する火災警報器に関する。
【背景技術】
【０００２】
従来、住戸の室内等に設置され、火災により発生した煙を検知して警報を行う火災警報器１００は、図８（ａ）の様にプリント基板１０１とプリント基板１０１に設置された円筒状の煙検知部１０２が、筐体１０３に内蔵され、設置面１３０にベース１２０を介して設置されている。筐体１０３は図８（ｂ）に示すように直径が異なる円柱を重ねた様な凸形の形状をしており、プリント基板１０１が筐体１０３の直径が大きな大円柱形状部分１０４に収納され、煙検知部１０２が直径が小さな小円柱形状部分１０５に収納されている。また、プリント基板１０１には、火災を報知するための表示灯１０６とスピーカ１０７が搭載されており、大円柱形状部分１０４の上面１０８に表示灯１０６を突出させる表示灯孔１０９と、スピーカ１０７からの音声を筐体１０３の外部に通すための音響孔１１０が設けられている（例えば、特許文献１）。
【先行技術文献】
【特許文献】
【０００３】
【特許文献１】特開２０１３−１４０６１７号公報
【発明の概要】
【発明が解決しようとする課題】
【０００４】
従来の火災警報器１００は、設置状態において大円柱形状部分１０４の側面１１１が設置面１３０に対して垂直となり、また小円柱形状部分１０５の側面１１２が大円柱形状部分１０５の上面１０８に対して略垂直となる。そのため、火災警報器１００は、室内等に設置させたとき突然に設置面から突出しているため、目立ち大きく見えてしまい、部屋等の美観を損ねていたりした。
また、火災警報器１００と住居人との位置関係によっては、小円柱形状部分１０５によって表示灯１０６が視線から遮られてしまったり、スピーカ１０７からの音声が聞こえにくくなってしまったりするおそれがあった。
【課題を解決するための手段】
【０００５】
本発明に係る火災警報器は、本体とカバーとからなり内部側に火災を検出する煙検出部を有する火災警報器において、前記カバーは、円周方向から中心に向かって設置面から離れるような緩やかな曲線の側面視で半月形状であることを特徴とする。
【発明の効果】
【０００６】
本発明によれば、火災警報器が天井から突如として突出したように見えることがないため目立たなく、設置された部屋の美観を損ねることがない。
また、本発明によれば、火災警報器上あるいは天井面に極端に濃い影ができにくく、影ができたとしても突然に濃い影ができるのではなく徐々に濃くなるため、設置された部屋の美観を損ねることがない。
また、本発明によれば、どの方向からでも光が見えるため火災発生がわかりやすい。
また、本発明によれば、音量が全方向でほぼ均等となり火災発生がわかりやすい。
【図面の簡単な説明】
【０００７】
【図１】本発明の火災警報器の斜視図である。
【図２】本発明の火災警報器の分解図である。
【図３】本発明の火災警報器の正面図である。
【図４】本発明の火災警報器の側面図である。
【図５】本発明の火災警報器の図３のＡ−Ａ矢視の断面図である。
【図６】本発明の火災警報器の図３のＢ−Ｂ矢視の断面図である。
【図７】本発明の火災警報器の図５のＣ−Ｃ矢視の断面図（表示灯導光体の片方を分離した状態）である。
【図８】従来の火災警報器の一例を示す図である。
【発明を実施するための形態】
【０００８】
以下、本発明の実施の形態について図１〜図７に基づき説明する。図１は、火災警報器１の斜視図であり、図２は分解図、図３は正面図、図４は側面図、図５が図３のＡ−Ａ矢視断面図、図６が図３のＢ−Ｂ矢視断面図そして図７が図５のＣ−Ｃ矢視断面図（表示灯導光体の片方を分離した状態）である。
なお、以下の説明において、「上」、「下」等の位置を表す語を用いているが、それは図面の向きに対応して用いたものである。
【０００９】
火災警報器１は、天井１４０に取り付けられたベース９０に対して取付方向に回動して、ベース９０に設けられた刃受部９１に火災警報器１に設けられた刃部４１を嵌入させることにより設置される。火災警報器１は、図１の斜視図に示すように、下方からはカバー１０以外見えず、火災警報器１からやや離れた位置からはカバー１０以外ほとんど見えず、ベース９０が若干見える程度である。
火災警報器１は、カバー１０と本体４０を備えており、カバー１０と本体４０の間には、プリント基板７０が収納されている（図２参照）。プリント基板７０には、内部に流入した煙を光を用いて検出する煙検出部７１と、煙が検出されたときに警報を行うために光を発する表示灯７２と音声を出力するスピーカ７３と、スピーカ７３の鳴動を停止させるタクトスイッチ７４が搭載されている。また、プリント基板７０は、ネジ穴７５が４つ設けられていて、ネジ穴７５に挿通させたネジによって本体４０に固定される。
【００１０】
カバー１０は、円盤状で図３の正面図に示すように正面視で円形であり、図４に示すように側面視でカバー円周１１からカバー中心１２に向かって下に膨らんだ半月形をしている。
そして、カバー１０は、右側にカバー円周１１側からカバー中心１２へ向かって５本の溝１３を有し、溝１３のそれぞれの中心１２側にスピーカ７３の音を通すための音響孔１４が火災警報器１の内部側２から外部側３に貫通するようにカバー１０に設けられている。
また、カバー１０は、左側にカバー円周１１側からカバー中心１２へ向かって溝１５を有し、溝１５の中心側には、タクトスイッチ７４をスイッチオンさせる押ボタン１６が設けられている。押ボタン１６は一端がカバー１０に設けられた係止部１７に回動可能に取り付けられ、他端がタクトスイッチ７４を押す押圧部１８となっている。
【００１１】
カバー１０の内部側２には、カバー１０を本体４０に取り付けるためのカバースタッド１９が４本設けられている。
また、カバー１０には、カバー円周１１に沿って表示灯導光体３０を取り付けるための、導光体取付溝２０が設けられている。
表示灯導光体３０は、図７に示すように表示灯７２に対向して表示灯７２の光を導光する導光部３１と、導光部３１によって導光された光を火災警報器１の外部に拡散する湾曲した拡散部３２を有する。表示灯ガイド３０は、図７の右側に示すように取り外された状態から、カバー１０の導光体取付溝２０に設けられた導光体取付孔２１に導光部３１を挿通して、拡散部３２を導光体取付溝２０にはめ込んで図７の左側に示すように取り付けられる。
【００１２】
本体４０は、円盤状で図２に示すように正面視で円形であり、外部側３（ベース９０側）にベース９０に取り付けるための前述した刃部４１および電池４を収納するための電池収納部４２が設けられている。本体４０の中央部には、プリント基板７０を収納するための収納部４３が設けられ、収納部４３にはプリント基板７０をネジで固定するための基板スタッド４４が４つ形成されている。本体４０には、斜面部４５が本体円周４６から収納部４３に向けて下方に延びるように形成されていて、斜面部４５によって図６の太線Ｆに示すように火災警報器１の内部側２に流入した煙が煙検出部７１に導かれるようになっている。斜面部４５には、本体スタッド４７が４つ形成されていて、本体スタッド４７にカバースタッド１９を当接させ、外部側３から本体スタッド４７を挿通させたネジにより、本体４０にカバー１０を取り付ける。また、斜面部４５には、本体４０にカバー１０を取り付けたときに、表示灯導光体３０の導光部３１が挿入される導光体用溝４８が形成されている。
【００１３】
火災警報器１を天井１４０に設置した状態について説明する。火災警報器１は、図４に示すように天井１４０に設置した状態で、カバー円周１１からカバー中心１２に向けてなだらかな曲線で天井１４０から離れるように丸みを帯びて膨らんでいる。つまり、火災警報器１は、カバー円周１１からカバー中心１２に向けて設置面（天井１４０）から徐々に離れるような緩やかな曲線で形成されたカバー１０を備えている。
そのため、火災警報器１は、天井１４０から突然に突出したように見えることがないので目立つことがない。また、火災警報器１は、カバー１０の丸みにより、天井１４０に設置されている照明器具からの光が側面方向から当たった場合に、火災警報器１上あるいは天井１４０に極端に濃い影ができにくい、あるいは影が照明器具から離れるにつれ徐々に濃くなっていくため影が目立ちにくい。
【００１４】
なお、カバー１０の曲線の接線Ｓと天井１４０の水平線との角度Ｋが小さいほど火災警報器１自身あるいは火災警報器１によってできる影が目立ちにくいが、角度を小さくするためにはカバー１０を大きくしなければならない。カバー１０をあまり大きくすると設置場所の近くからは火災警報器１が大きく見えてしまうため、角度Ｋが２５度〜４０度の範囲となるようにカバー１０を形成するのが好ましい。
【００１５】
次に、火災警報器１の動作について説明する。
火災警報器１は、天井１４０に沿って流れてきた火災によって発生した煙が内部側２に流入すると、図６に太線Ｆで示すように煙が煙検出部７１に導かれる。煙検出部７１は、内部に煙を流入させるが外部の光を遮断するラビリンス壁（不図示）を有し、発光部（不図示）による照射光が内部に流入した煙による散乱光を受光部（不図示）によって受光し、その受光量によって火災を判断する。煙検出部７１が、火災と判断すると火災警報として表示灯７２が点灯するとともにスピーカ７３から火災発生を周囲に知らせる音声を出力する。表示灯７２の光は、表示灯導光体３０の導光部３１により拡散部３２に送られ、拡散部３２によって拡散され拡散部３２全体が発光するため、カバー円周１１に沿って火災警報器１の外周がリング状に光る。スピーカ７３からの音声は、音響孔１４を介して火災警報器１の外部側３に出力される。
【００１６】
上記のように、火災警報器１は、カバー円周１１からカバー中心１２に向かってなだらかな曲線で半月状に形成されたカバー１０を有するため、天井１４０から突如として突出したように見えることがないため目立たなく、設置された部屋の美観を損ねることがない。
また、火災警報器１上あるいは天井１４０に極端に濃い影ができにくく、影ができたとしても突然に濃い影ができるのではなく徐々に濃くなるため、設置された部屋の美観を損ねることがない。
また、火災警報器１は、カバー円周１１に沿って表示灯の光が拡散され発光する表示灯導光体３０を有するため、どの方向からでも光が見えるため火災発生がわかりやすい。
また、火災警報器１は、音響孔１４の周囲に音を遮るものがないため、音量が全方向でほぼ均等となり火災発生がわかりやすい。
【符号の説明】
【００１７】
１  火災警報器、２  内部側、３  外部側、１０  カバー、１１  カバー円周、１２  カバー中心、１３  溝、１４  音響孔、１５  溝、１６  押ボタン、１７  係止部、１８  押圧部、１９  カバースタッド、２０  導光体取付溝、２１  導光体取付孔、３０  表示灯導光体、３１  導光部、３２  拡散部、４０  本体、４１  刃部、４２  電池収納部、４３  収納部、４４  基板スタッド、４５  斜面部、４６  本体円周、４７  本体スタッド、４８  導光体用溝、７０  プリント基板、７１  煙検出部、７２  表示灯、７３  スピーカ、７４  タクトスイッチ、７５  ネジ穴、９０  ベース、９１  刃受部
【図１】
2016189156.tif 000003
【図２】
2016189156.tif 000004
【図３】
2016189156.tif 000005
【図４】
2016189156.tif 000006
【図５】
2016189156.tif 000007
【図６】
2016189156.tif 000008
【図７】
2016189156.tif 000009
【図８】
2016189156.tif 000010